(57)【要約】本発明は、低圧水銀蒸気放電灯に係る。該放電灯は、水銀の充填及び不活性ガスを気密に備えられた放電空間を気密に封入する放電管を有する。放電管は、放電空間において放電を保持するよう放電空間に配置された電極を有する。本発明によれば、低圧水銀蒸気放電灯の破損確率は、電極のうちの一方によって略確定される。低圧水銀蒸気放電灯を点灯する際、点灯関連の事象が電極に影響を与え、望ましくは、点灯関連の事象が一方の電極に作用することを略妨げられる。
2007500420.tif 000002
【特許請求の範囲】
【請求項１】
低圧水銀蒸気放電灯であって、
水銀の充填及び不活性ガスを気密に備えられた放電空間を気密に封入する放電管を有し、
前記放電管は、前記放電空間において放電を保持するよう前記放電空間に配置された電極を有し、
前記低圧水銀蒸気放電灯の破損確率は、前記電極のうちの一方によって略決定付けられる、
低圧水銀蒸気放電灯。
【請求項２】
前記低圧水銀蒸気放電灯を点灯する際、点灯関連の事象は前記電極に影響を及ぼし、前記点灯関連の事象は、前記一方の電極に作用することを略妨げられる、ことを特徴とする、
請求項１又は２記載の低圧水銀蒸気放電灯。
【請求項３】
前記低圧水銀蒸気放電灯は、点灯の際にはＤＣ電流状態の下で実質的に動作され、更なる動作中はＡＣ電流状態の下で実質的に動作される、ことを特徴とする、
請求項１又は２記載の低圧水銀蒸気放電灯。
【請求項４】
前記低圧水銀蒸気放電灯は、安定器回路上で動作され、前記安定器回路は、前記点灯を前記一方の電極を実質的に離しておく手段を有する、ことを特徴とする、
請求項１又は２記載の低圧水銀蒸気放電灯。
【請求項５】
前記安定器は、ダイオードを有する回路組立体を有する、ことを特徴とする、
請求項４記載の低圧水銀蒸気放電灯。
【請求項６】
前記低圧水銀蒸気放電灯は、ダイオードを有する回路組立体を有するグロースタータ回路を有する、ことを特徴とする、
請求項１又は２記載の低圧水銀蒸気放電灯。
【請求項７】
前記電極は、前記放電に対して電子を供給するようエミッタ材料を備えられ、前記一方の電極の前記エミッタ材料のマスは、前記電極の前記エミッタ材料の平均的マスより２０％低い、ことを特徴とする、
請求項１又は２記載の低圧水銀蒸気放電灯。
【請求項８】
前記電極は、前記放電に対して電子を供給するようエミッタ材料を備えられ、前記一方の電極の前記エミッタ材料におけるバリウム、カルシウム、及び／又はストロンチウムの含有量は、夫々、前記電極の前記エミッタ材料における平均的バリウム、カルシウム、又はストロンチウムの含有量より２０％低い、ことを特徴とする、
請求項１又は２記載の低圧水銀蒸気放電灯。
【請求項９】
前記一方の電極の温度は、前記電極の平均的温度より２０％低い、ことを特徴とする、
請求項１又は２記載の低圧水銀蒸気放電灯。
【請求項１０】
前記一方の電極は、電極リングによって取り囲まれ、前記電極リングはファラデー箱として機能する、ことを特徴とする、
請求項１又は２記載の低圧水銀蒸気放電灯。
【請求項１１】
前記低圧水銀蒸気放電灯を点灯する際前記放電を離れて案内するよう、前記一方の電極の周りにアンテナが備えられる、ことを特徴とする、
請求項１又は２記載の低圧水銀蒸気放電灯。
【請求項１２】
前記アンテナはバイメタルを有する、ことを特徴とする、
請求項１１記載の低圧水銀蒸気放電灯。
【発明の詳細な説明】
【技術分野】
【０００１】
本発明は低圧水銀蒸気放電灯に係る。
【背景技術】
【０００２】
水銀蒸気放電灯においては、水銀は、紫外線（ＵＶ）光の（効率的な）生成に対する主成分を構成する。発光材料を有する発光層は、ＵＶを他の波長に転換するよう、放電管の内壁上に存在し得る。該他の波長は、例えば、タンニング目的（太陽パネル灯）に対するＵＶ−Ｂ及びＵＶ−Ａ、又は一般的な照明目的に対する可視光である。したがって、かかる放電ランプはまた、蛍光灯とも称される。あるいは、生成された紫外線光は、殺菌灯（ＵＶ−Ｃ）を製造するよう使用され得る。低圧水銀蒸気放電灯は、通常は環状であり、細長く且つ小型の実施例を有する。一般的には、小型の蛍光灯の管状の放電管は、比較的小さな直径を有する比較的短く直線状の部分の集合を有する。該直線状の部分は、ブリッジ部品を用いて又は湾曲部品を介して共に接続され得る。小型の蛍光灯は、通常、（一体化された）ランプキャップを備えられる。標準的には、放電空間における放電を保持する手段は、放電空間内に配置された電極である。別の実施例においては、低圧水銀蒸気放電灯は、所謂、無電極の低圧水銀蒸気放電灯を有する。
【０００３】
上述された低圧水銀蒸気放電灯は、従来技術において周知である。既知の低圧水銀蒸気放電灯の不利点は、放電灯の寿命におけるばらつきが比較的大きいことである。これは、多数の放電灯が建物等において取り付けられる際、放電灯の寿命のばらつきが、所謂放電灯のグループ交換を不向きであるようにすることを意味する。
【発明の開示】
【発明が解決しようとする課題】
【０００４】
本発明は、上述された不利点を全体的又は部分的に取り除くことを目的とする。本発明によれば、冒頭に説明された種類の低圧水銀蒸気放電灯は、この目的に対して、水銀の充填及び不活性ガスを気密に備えられた放電空間を気密に封入する放電管を有する。該放電管は、放電空間において放電を保持するよう放電空間において配置された電極を有する。低圧水銀蒸気放電灯の破損確率（ｐｒｏｂａｂｉｌｉｔｙ  ｏｆ  ｆａｉｌｕｒｅ）は、電極のうちの一方によって略確定される。
【課題を解決するための手段】
【０００５】
低圧水銀蒸気放電灯の破損確率を電極のうちの一方に制限することによって、寿命におけるばらつきを低減する取組みが、該一方の電極に集中され得る。一方の電極の優れた制御は、電灯の寿命の改良された制御、及び、本発明に従った低圧水銀蒸気放電灯の寿命におけるばらつきの改良された制御に繋がる。本発明に従った低圧水銀蒸気放電灯の破損確率は、一方の電極の点灯反応を注意深く制御することによって、及び／又は、一方の電極の構造及び周囲を注意深く制御することによって影響され得る。
【０００６】
本発明に従った低圧水銀蒸気放電灯の寿命におけるばらつきは、大きく低減される。本発明の措置によれば、低圧水銀蒸気放電灯の寿命におけるばらつきは、大きく低減され、全ての低圧水銀蒸気放電灯のグループ交換を可能とする。かかる全ての放電灯の全体の交換は、放電灯が消えるたびに夫々の放電灯を取り替えることより更に望ましい。
【０００７】
低圧水銀蒸気放電灯における電極の破損確率に関する１つの面は、放電灯の点灯反応に関連される。低圧水銀蒸気放電灯の点灯は、電極上の所謂点灯関連の損傷を生じさせる。大雑把に言えば、低圧水銀蒸気放電灯を一度点灯することは、放電灯を典型的には０．５−８時間燃焼することと同等である。値は、使用される安定器に依存する。この概括的法則の結果、より頻繁に放電灯が点灯されると、より早く電極は、電極上のエミッタ材料が消費されるため放電灯がもはや点灯され得ない状態に至る。このため、低圧水銀蒸気放電灯の望ましい一実施例は、低圧水銀蒸気放電灯を点灯する際、点灯関連の事象が電極に影響を及ぼし、点灯関連の事象が一方の電極に作用することから略妨げられる、ことを特徴とする。点灯関連の事象を一方の電極から離しておくことによって、この電極は、点灯関連の事象によって影響されず、一方の電極の破損確率は、低圧水銀蒸気放電灯の燃焼時間によって略全体的に確定される。
【０００８】
このようにして、本発明の低圧水銀蒸気放電灯の寿命は、放電灯のスイッチングの頻度に依存する。加えて、安定器に依存するスイッチング寿命の結果、本発明に従った低圧水銀蒸気放電灯の寿命は、もはや安定器に依存しない。本発明によれば、低圧水銀蒸気放電灯は、スイッチング周期とは無関係である電灯寿命を有して製造され得、スイッチング周期の減退依存性を有する。該周期で放電灯は、動作され、使用される安定器の種類の減退依存性を示す。
【０００９】
本発明に従った低電圧水銀蒸気放電灯の望ましい一実施例は、低圧水銀蒸気放電灯が点灯の際にＤＣ電流状態の下で実質的に動作され、更なる動作中はＡＣ電流状態の下で実質的に動作される、ことを特徴とする。低圧水銀蒸気放電灯をＤＣ電流状態下で点灯することによって、電流の極性は、低圧水銀蒸気放電灯の点灯が一方の電極では行われないよう選択され得る。このようにして、点灯関連の事象は、一方の電極から離れて維持され、したがってこの電極が点灯関連の事象によって影響を受けることを避ける。このようにして、一方の電極の破損確率は、スイッチ回数によってではなく、低圧水銀蒸気放電灯の燃焼時間によってのみ略全体的に確定される。本発明に従った低電圧水銀蒸気放電灯の寿命は、一方の電極によって確定される。
【００１０】
点灯関連の事象を一方の電極から離しておく他の方法は、一方の電極から点灯関連の事象を離しておく傾向がある安定器手段を使用することである。このため、本発明に従った低圧水銀蒸気放電灯の望ましい一実施例は、低圧水銀蒸気放電灯が安定器回路上で動作され、該安定器回路は、一方の電極から点灯を離しておく手段を有する、ことを特徴とする。望ましくは、安定器は、ダイオードを有する回路組立体を有する。安定器回路におけるダイオードは、一方の電極から点灯関連の事象を離しておく効果的な手段である。一実施例においては、ダイオードは、グロースタータ回路において有される。
【００１１】
本発明に従った低圧水銀蒸気放電灯の望ましい一実施例は、低圧水銀蒸気放電灯がダイオードを有する回路組立体を有するグロースタータ回路を有する、ことを特徴とする。望ましくは、グロースタータ回路は、片面パルス上で動作される。これは、電子スタータ回路組立体によって、又はグロースタータ回路における電極の構造を修正することによって達成され得る。
【００１２】
低圧水銀蒸気放電灯における電極の破損確率に関連する他の面は、一方の電極の構造面に関連される。加えて、電極がどのように放電管いおいて配置されるかという面が考えられる。
【００１３】
本発明に従った低圧水銀蒸気放電灯の望ましい一実施例は、電極が放電に対して電子を供給するエミッタ材料を備えられ、一方の電極のエミッタ材料のマスは、電極のエミッタ材料の平均的なマスより２０％低い、ことを特徴とする。一方の電極のエミッタ材料のマスを他方の電極と比較して低減させることによって低圧水銀蒸気放電灯の破損確率は、一方の電極のエミッタ材料の消耗によって略確定される。
【００１４】
本発明に従った低圧水銀蒸気放電灯の他の望ましい一実施例は、電極が放電に対して電子を供給するエミッタ材料を備えられ、一方の電極のエミッタ材料におけるバリウム、カルシウム、及び／又はストロンチウムの含有量は、夫々、電極のエミッタ材料の平均的なバリウム、カルシウム、又はストロンチウムの含有量より２０％低い、ことを特徴とする。他方の電極と比較して一方の電極のエミッタ材料におけるバリウム、カルシウム、及び／又はストロンチウムの含有量を選択的に変更することによって、低圧水銀蒸気放電灯の破損確率は、一方の電極のエミッタ材料の構成によって略確定される。
【００１５】
本発明に従った低圧水銀蒸気放電灯の更なる他の望ましい一実施例は、一方の電極の温度が電極の平均的な温度より２０％低い、ことを特徴とする。電極間の温度差は、冷電極の抵抗と比較して熱電極の抵抗において表され得る。
【００１６】
本発明に従った低圧水銀蒸気放電灯の望ましい一実施例は、一方の電極が電極リングによって取り囲まれ、該電極リングはファラデー箱として機能する、ことを特徴とする。他の一実施例では、電極は、ガラス基板上に与えられた導電層によって取り囲まれる。このようにして、点灯関連の事象は、一方の電極から実質的に離れて維持される。
【００１７】
本発明に従った低圧水銀蒸気放電灯の他の望ましい一実施例は、アンテナが、低圧水銀蒸気放電灯を点灯する際、放電から離れて案内するよう一方の電極の近接部に与えられる、ことを特徴とする。アンテナは、低圧水銀蒸気放電灯の点灯中のいかなる放電も捕え、吸収する手段として機能する。このようにして、点灯関連の事象は、一方の電極から実質的に離れて維持される。望ましくは、アンテナはバイメタルを有する。
【発明を実施するための最良の形態】
【００１８】
本発明のこれらの及び他の面は、これより説明される実施例を参照して明らかに及び解説される。
【００１９】
図面は、単なる図形であり、実寸大ではない。明白には、複数の寸法は、明確性のために非常に強調された形状で図示される。図中の同類の構成部品は、可能な限り同一の参照符号で示される。
【００２０】
図１は、長手方向軸２の周囲に管状部分１１を有するガラス放電管を有する低圧水銀蒸気放電灯を非常に概略的に図示する。該放電管は、放電管１０において生成された放射を伝達し、第１と第２の端部１２ａ及び１２ｂを夫々備えられる。この例においては、管状部分１１は、約１２０ｃｍの長さＬｄｖ及び約１４ｍｍの内径Ｄｉｎを有する。放電管１０は、水銀の充填及び例えばアルゴンを有する不活性ガス化合物を有する放電空間１３を気密に封入する。図１の例においては、放電空間１３に対面する管状部分１１の側部は、保護層１７を備えられる。他の一実施例では、第１及び第２の端部１２ａ及び１２ｂは、また、保護層で被覆される。蛍光放電灯においては、放電空間１３に対面する管状部分１１の側部もまた、蛍光材料（蛍光パウダー等）を有する蛍光層１６で被覆される。該層は、励起水銀のフォールバックによって生成された紫外線（ＵＶ）光を（一般的に）可視光へと転換する。他の実施例では、蛍光層１６もまた、更なる保護層（図１中は図示せず）を備えられる。
【００２１】
図１の例では、放電空間１３において放電を保持する手段は、放電空間１３において配置された電極２０ａ及び２０ｂである。前述の電極２０ａ及び２０ｂは、端部１２ａ及び１２ｂによって支持される。電極２０ａ及び２０ｂは、この場合では酸化バリウム、酸化カルシウム、及び酸化ストロンチウムの混合である、電子放射物質で被覆されたタングステンの巻き線である。電極２０ａ及び２０ｂの電流供給コンダクタ３０ａ，３０ａ’及び３０ｂ，３０ｂ’は、夫々、端部１２ａ及び１２ｂを通過し、放電管１０から外部へ出る。電流供給コンダクタ３０ａ，３０ａ’及び３０ｂ，３０ｂ’は、ランプキャップ３２ａ及び３２ｂに対して固定された接触ピン３１ａ，３１ａ’及び３１ｂ，３１ｂ’に接続される。一般的には、各電極２０ａ及び２０ｂの周囲には、電極リングが配置され（図１中図示せず）、その上には水銀を釣り合わせるガラスのカプセルがクランプ留めされる。
【００２２】
本発明によれば、低圧水銀蒸気放電灯の破損確率は、一方の電極２０ａによって略確定される。低圧水銀蒸気放電灯の破損確率を一方の電極２０ａに制限することによって、寿命におけるばらつきを低減する取組みが、該一方の電極に集中され得る。一方の電極２０ａの優れた制御は、電灯の寿命の改良された制御、及び、本発明に従った低圧水銀蒸気放電灯の寿命におけるばらつきの改良された制御に繋がる。ある意味では、一方の電極は、低圧水銀蒸気放電灯の「最も弱いリンク」となる。
【００２３】
低圧水銀蒸気放電灯における電極の破損確率に関連する一つの面は、放電灯の点灯反応に関連される。低圧水銀蒸気放電灯の点灯は、電極上の所謂点灯関連の損傷を生じさせる。大雑把に言えば、低圧水銀蒸気放電灯を一度点灯することは、放電灯を典型的には０．５−８時間燃焼することと同等である。この値は、使用される安定器に依存する。冷点灯（ｃｏｌｄ  ｉｇｎｉｔｉｎｇ）の放電灯に対して、放電灯を一度点灯することは、７−１０時間放電灯を燃焼することと同等である。電灯が所謂熱点灯される（ｈｏｔ−ｉｇｎｉｔｅｄ）際、放電灯を一度点灯することは、約０．５時間放電灯を燃焼することと同等である。この安定器の依存性の結果、本発明に従った低圧水銀蒸気放電灯の寿命は、もはや安定器に依存しない。
【００２４】
図２Ａは、放電灯の応対寿命（Ｌｒｅｌ）に応じる低圧水銀蒸気放電灯の破損確率（ＰｏＦ）を図示する。参照符号Ｅ１の曲線は、一方の電極２０ａの破損確率を示し、曲線Ｅ２は、他方の電極２０ｂの破損確率を示す。これらの曲線は、典型的には所謂ガウス曲線であり、図２Ａ中１０００と示される相対寿命の周囲で最高値及び２つの尾部を有する。該尾部のうち一方は、早期に消耗される（相対寿命＜１０００）電極を例示し、他方は比較的非常に長い寿命（相対寿命＞１０００）を有する電極を例示する。参照符号ＤＬである低圧水銀蒸気放電灯の破損確率に対する曲線は、Ｅ１及びＥ２から算出される。図２Ａ中の曲線を見ると、２つの電極からもたらされる放電灯に対する破損確率分布は、正規分布及び対称分布のどちらでもないことがわかり得る。
【００２５】
図２Ｂは、図２Ａ中に図示される通り、低圧水銀蒸気放電灯の相対寿命（Ｌｒｅｌ）に応じる累積破損確率（ＰｏＦ）を図示する。参照符号Ｅ１の曲線は、一方の電極２０ａの破損確率を示し、曲線Ｅ２は、他方の電極２０ｂの破損確率を示す。これらの曲線は、典型的には所謂ガウス曲線であり、図２Ａ中１０００と示される相対寿命の周囲で最高値と、２つの尾部を有する。該尾部のうち一方は、早期に消耗される（相対寿命＜１０００）電極を例示し、他方は比較的非常に長い寿命（相対寿命＞１０００）を有する電極を例示する。参照符号ＤＬである低圧水銀蒸気放電灯の破損確率に対する曲線は、Ｅ１及びＥ２から算出される。
【００２６】
図２Ａ及び２Ｂより、他方の電極２０ｂのより長い平均寿命に対して高まる変動を有して、低圧水銀蒸気放電灯の平均破損確率は、一方の電極２０ａの平均破損確率に向かって展開する。言い換えれば、低圧水銀蒸気放電灯の破損確率を一方の電極に対して制限することによって、寿命におけるばらつきを低減する取組みが、該一方の電極に集中され得る。加えて、放電灯の破損確率の分布の幅は、一方の電極の破損確率を有する曲線の幅に向かって大きく展開する。製造環境における正規のばらつきにより、電極の平均寿命を均一にすることは、寿命分布の拡大に繋がる。
【００２７】
全ての状況において、放電灯の破損確率の中央値は、一方の電極の中央値を下回る。即ち、追加的な故障源、第２の電極の導入は、一方の電極のみの平均破損確率に関して放電灯の平均破損確率を大きく低減する。電極が実際に同一である場合、放電灯に対する中央値及び破損確率の幅は、個々の電極のそれよりも小さい。
【００２８】
本発明に従った低圧水銀蒸気放電灯の破損確率は、一方の電極の点灯反応を注意深く制御することによって、及び／又は一方の電極の構造及び環境を注意深く制御することによって、影響を受け得る。
【００２９】
低圧水銀蒸気放電灯を点灯する際、点灯関連の事象が電極に影響を及ぼす。低圧水銀蒸気放電灯の望ましい一実施例によれば、点灯関連の事象は、一方の電極に作用することを略妨げられる。点灯関連の事象を一方の電極から離しておくことによって、この電極は、点灯関連の事象によって影響されず、一方の電極の破損確率は、低圧水銀蒸気放電灯の燃焼時間によって略全体的に確定される。本発明に従った低圧水銀蒸気放電灯は、スイッチング周期には依存せず、また、安定器回路組立体の選択に依存しない。望ましくは、低圧水銀蒸気放電灯は、点灯の際、ＤＣ電流状態下で実質的に動作され、更なる動作中はＡＣ電流状態下で実質的に動作される。低圧水銀蒸気放電灯をＤＣ電流状態下で点灯することによって、電流の極性は、低圧水銀蒸気放電灯の点灯が一方の電極で行われないよう選択され得る。点灯関連の事象を一方の電極から離しておくことによって、一方の電極の破損確率は、低圧水銀蒸気放電灯の燃焼時間によって略全体的に確定される。
【００３０】
望ましくは、低圧水銀蒸気放電灯は、安定器回路上で動作され、該安定器回路は、一方の電極から点灯を実質的に離して維持する手段を有する。望ましくは、安定器は、ダイオードを有する。安定器回路におけるダイオードは、一方の電極から点灯関連の事象を離しておく効果的な手段である。
【００３１】
低圧水銀蒸気放電灯の他の望ましい実施例では、電極は、放電に対して電子を供給するエミッタ材料を備えられ、一方の電極のエミッタ材料のマスは、電極のエミッタ材料の平均的なマスより２０％低い。一方の電極のエミッタ材料のマスを他方の電極と比較して低減させることによって低圧水銀蒸気放電灯の破損確率は、一方の電極のエミッタ材料の消耗によって略確定される。
【００３２】
望ましくは、電極は放電に対して電子を供給するエミッタ材料を備えられ、一方の電極のエミッタ材料におけるバリウム、カルシウム、及び／又はストロンチウムの含有量は、夫々、電極のエミッタ材料の平均的なバリウム、カルシウム、又はストロンチウムの含有量より２０％低い。他方の電極と比較して一方の電極のエミッタ材料におけるバリウム、カルシウム、及び／又はストロンチウムの含有量を選択的に変更することによって、低圧水銀蒸気放電灯の破損確率は、一方の電極のエミッタ材料の構成によって略確定される。
【００３３】
望ましくは、一方の電極の温度は、電極の平均的な温度より２０％低い。電極間の温度差は、冷電極の抵抗Ｒｃｏｌｄと比較して熱電極の抵抗Ｒｈｏｔにおいて表され得る。通常の状態下では、Ｒｃｏｌｄ／Ｒｈｏｔは、４乃至５の範囲にある。Ｒｃｏｌｄ／Ｒｈｏｔ＜４である際、熱電極は、比較的非常に低い温度にあり、電極の高いスパッタリングを生じさせる。Ｒｃｏｌｄ／Ｒｈｏｔ＞５である際、熱電極は比較的非常に高い温度にあり、電極のエミッタ材料の高い蒸発を生じさせる。望ましくは、
【００３４】
【数１】
2007500420.tif 000003
である。
【００３５】
望ましくは、一方の電極は、電極リングによって取り囲まれ、該電極リングはファラデー箱として機能する。一方の電極を取り囲む又は封入する所謂ファラデー箱又はファラデーシールドは、一方の電極の電界の効果を低減する。このようにして、点灯関連の事象は、一方の電極から離れて実質的に維持される。
【００３６】
望ましくは、アンテナは、低圧水銀蒸気放電灯を点灯する際、放電から離れて案内するよう一方の電極の近くに与えられる。該アンテナは、低圧水銀蒸気放電灯の点灯中のいかなる放電も捕え、吸収する手段として機能する。このようにして、点灯関連の事象は、一方の電極から実質的に離れて維持される。望ましくは、アンテナはバイメタルを有する。
【００３７】
本発明に従った低圧水銀蒸気放電灯の寿命におけるばらつきは、非常に低減される。本発明の措置によれば、２１，０００時間後に１０％より少ない破損を有する約２４，０００時間の平均寿命を有する低圧水銀蒸気放電灯を製造することが可能となる。本発明に従った低圧水銀蒸気放電灯の破損確率におけるこの比較的小さなばらつきにより、全ての低圧水銀蒸気放電灯のグループ交換は、（単一の）放電灯が償却する度に個々の放電灯を取り替えるより（経済的に）望ましくなる。これは、特には、放電灯が届き難い場所に位置付けられている場合に有利である。
【００３８】
本発明に従った低圧水銀蒸気放電灯は、燃焼損傷を大きく受けるがスイッチング損傷からは保護される、所謂「最も弱いリンク」を有する。この「最も弱いリンク」の電極は、低圧水銀蒸気放電灯の破損確率を占める。加えて、本発明に従った低圧水銀蒸気放電灯は、燃焼及びスイッチング損傷を大きく受けるが低圧水銀蒸気放電灯の破損確率には影響を略与えない、所謂「最も強いリンク」を有する。
【００３９】
上述された実施例は、本発明を制限するのではなく、例示するものであること、及び、当業者は、添付の請求項の範囲から逸脱することなく多くの他の実施例を設計することができることが留意されるべきである。請求項においては、括弧内の置かれた参照符号は、請求項を制限するものとして解釈されるべきではない。「有する」という動詞及びその活用形の使用は、請求項に記載されたもの以外の構成要素又は段階の存在を除外しない。構成要素が単数形で記載されている場合は、かかる要素が複数の存在を除外するものではない。本発明は、複数の異なった構成要素を有するハードウェアを用いて、また、適切にプログラムされたコンピュータを用いて実行され得る。複数の手段を列挙する装置の請求項においては、これらの手段のうちの複数は、１つ及び同一のハードウェアのアイテムによって実現され得る。特定の措置が互いに異なる従属請求項において記載されるという単なる事実は、これらの措置の組合せが活用され得ないことを示すものではない。
【図面の簡単な説明】
【００４０】
【図１】本発明に従った低圧水銀蒸気放電灯の断面図である。
【図２Ａ】本発明に従った低圧水銀蒸気放電灯の破損確率を図示する。
【図２Ｂ】図２Ａ中に図示された低圧水銀蒸気放電灯の累積破損確率を図示する。
【図１】
2007500420.tif 000004
【図２Ａ】
2007500420.tif 000005
【図２Ｂ】
2007500420.tif 000006
【国際調査報告】
2007500420.tif 000007
2007500420.tif 000008
2007500420.tif 000009
2007500420.tif 000010
2007500420.tif 000011
2007500420.tif 000012